(57)【要約】【課題】ケーブルが引っ張られたり、ケーブルに圧力がかかったりしていることを、電子機器に報知の機能を搭載させることなく容易に認識させることができるようにする。【解決手段】信号や電気を伝送する線状部材２と、この線状部材２の外周を被覆するとともに柔軟性を有する素材により形成される第一の樹脂層３と、この第一の樹脂層３の外周を、空気層４を介して被覆するとともに柔軟性および透光性を有する素材により形成される第二の樹脂層５とを有するようにしているので、ケーブル１が引っ張られたり、ケーブル１に圧力がかかったりした場合に、第一の樹脂層３と第二の樹脂層５とが密着することから、透光性を有する第二の樹脂層５を介して見えるケーブル１の内部の状態を異ならせることができる。従って、使用者は、ケーブル１を見るだけで、ケーブル１が引っ張られたり、ケーブル１に圧力がかかったりしたことを容易に把握することができる。【選択図】図１
2014235789.tif 000002
【特許請求の範囲】
【請求項１】
電子機器に用いられるケーブルであって、
信号や電気を伝送する線状部材と、
前記線状部材の外周を被覆するとともに柔軟性を有する素材により形成される第一の樹脂層と、
前記第一の樹脂層の外周を、空気層を介して被覆するとともに柔軟性および透光性を有する素材により形成される第二の樹脂層と、
を有することを特徴とするケーブル。
【発明の詳細な説明】
【技術分野】
【０００１】
本発明は、電子機器などに用いられるケーブルに関し、特に、断線などの可能性を示唆することができるケーブルに関する。
【背景技術】
【０００２】
一般的に、電子機器に電源を供給したり、通信を行う電子機器が信号のやり取りをしたりする場合に、ケーブルが用いられる。このケーブルの一端に電子機器を取り付け、他端に電源の供給元であるコンセントや、信号のやり取りをする相手の電子機器を取り付けることで、電子機器を使用することが可能となる。
【０００３】
ところで、電子機器の使用状況によっては、ケーブルが引っ張られたり、圧力がかかったりすることがあった。また、これらの状態が継続すると、ケーブルが断線するケースが生じるという問題があった。
【０００４】
このような問題を解決するために、ナースコール子機と子機アダプタとをケーブルで接続し、このケーブルに一定の張力が印加されたことが検出された場合に報知を行うナースコールシステムが知られている（例えば、特許文献１を参照）。また、これを応用し、ケーブルに一定の圧力が印加されたことが検出された場合に報知を行わせることが考えられる。
【０００５】
しかしながら、上述した特許文献１を含む従来技術では、電子機器としてナースコールシステムが用いられているため、ケーブルに一定の張力が印加されたことが検出された場合や、ケーブルに一定の圧力が印加されたことが検出された場合に報知を行うことが可能であるが、電子機器の中には報知の機能を持たないものも少なくはなく、上述した機能を実現するためだけに報知の機能を電子機器に搭載させることは現実的ではなかった。
【先行技術文献】
【特許文献】
【０００６】
【特許文献１】特開２００３−２５９０１６号公報
【発明の概要】
【発明が解決しようとする課題】
【０００７】
本発明は、このような問題を解決するために成されたものであり、ケーブルが引っ張られたり、ケーブルに圧力がかかったりしていることを、電子機器に報知の機能を搭載させることなく容易に認識させることができるようにすることを目的とする。
【課題を解決するための手段】
【０００８】
上述した課題を解決するために、本発明では、電子機器に用いられるケーブルであって、信号や電気を伝送する線状部材と、この線状部材の外周を被覆するとともに柔軟性を有する素材により形成される第一の樹脂層と、この第一の樹脂層の外周を、空気層を介して被覆するとともに柔軟性および透光性を有する素材により形成される第二の樹脂層とを有するようにしている。
【発明の効果】
【０００９】
上記のように構成した本発明によれば、ケーブルが引っ張られたり、ケーブルに圧力がかかったりした場合に、第一の樹脂層と第二の樹脂層とが密着することから、透光性を有する第二の樹脂層を介して見えるケーブル内部の状態を異ならせることができる。従って、ケーブルを見るだけで、ケーブルが引っ張られたり、ケーブルに圧力がかかったりしたことを容易に把握することができる。
【図面の簡単な説明】
【００１０】
【図１】本実施形態によるケーブルの構成例を示す図である。
【図２】本実施形態によるケーブルの外観例を示す図である。
【発明を実施するための形態】
【００１１】
以下、本発明の一実施形態を図面に基づいて説明する。図１は、本実施形態によるケーブル１の構成例を示す図である。また、図１（ａ）は本実施形態によるケーブルの構成例１を示す側面図、図１（ｂ）は本実施形態によるケーブル１の構成例を示すＡ−Ａ´断面図である。図１において、１はケーブル、２は電源線や信号線などの線状部材、３は第一の樹脂層、４は空気層、５は第二の樹脂層である。
【００１２】
図１（ａ）に示すようにケーブル１は線状であり、例えば、その一端が電子機器に接続されている。また、このケーブル１の他端はコンセントや相手の電子機器に接続される。また、このケーブル１は所望の長さを有している。ここで、所望の長さは、電子機器とコンセントとの距離や、電子機器と相手の電子機器との距離によって決められる。また、ケーブル１の内部には、４本の線状部材２がケーブル１の長さ方向に埋め込まれており、この線状部材２によって、電源の供給や信号のやり取りが行われる。なお、線状部材２の本数が４本に限定されないことはもちろんである。
【００１３】
また、線状部材２は、その外周を第一の樹脂層３により被覆されている。第一の樹脂層３は、柔軟性を有する素材により形成されている。ここで、ケーブル１が引っ張られたり、ケーブル１に圧力がかかったりしたことを視認し易くするために、第一の樹脂層３を着色することが好ましい。
【００１４】
第一の樹脂層３の外周には、空気層４が形成されている。第二の樹脂層５は、空気層４を介して第一の樹脂層３を被覆する。ここで、第二の樹脂層５は、柔軟性および透光性を有する素材により形成される。なお、空気層４の代わりに他の気体を第一の樹脂層３と第二の樹脂層５との間に形成するようにしても良い。また、第二の樹脂層５は、透光性を有していれば、着色されていても良い。
【００１５】
このように構成されたケーブル１の外観例を図２に示す。図２（ａ）は、通常時のケーブル１の外観を示す図である。このとき、ケーブル１は、引っ張られたり、圧力をかけられたりしていない状態である。
【００１６】
これに対して、図２（ｂ）に示すように、ケーブル１が引っ張られると、第一の樹脂層３の外周と第二の樹脂層５の内周とが接触し、透光性を有する第二の樹脂層５の外周からの外観が、第一の樹脂層３の色を反映したものとなる。
【００１７】
また、図２（ｃ）に示すように、ケーブル１の一部に圧力がかかると、その部分の第一の樹脂層３の外周と第二の樹脂層５の内周とが接触し、その部分における、透光性を有する第二の樹脂層５の外観が、第一の樹脂層３の色を反映したものとなる。
【００１８】
以上詳しく説明したように、本実施形態によれば、信号や電気を伝送する線状部材２と、この線状部材２の外周を被覆するとともに柔軟性を有する素材により形成される第一の樹脂層３と、この第一の樹脂層３の外周を、空気層４を介して被覆するとともに柔軟性および透光性を有する素材により形成される第二の樹脂層５とを有するようにしている。
【００１９】
これにより、ケーブル１が引っ張られたり、ケーブル１に圧力がかかったりした場合に、第一の樹脂層３と第二の樹脂層５とが密着することから、透光性を有する第二の樹脂層５を介して見えるケーブル１の内部の状態を異ならせることができる。従って、使用者は、ケーブル１を見るだけで、ケーブル１が引っ張られたり、ケーブル１に圧力がかかったりしたことを容易に把握することができる。また、これを把握した使用者は、上述した原因を取り除くことで、ケーブル１の断線を防止することができる。
【００２０】
なお、前述した実施形態では、ケーブル１が引っ張られた場合や、ケーブル１に圧力がかかった場合に、ケーブル１の第一の樹脂層３と第二の樹脂層５とが密着しているが、これに限定されない。例えば、ケーブル１が極端に曲げられた場合にも、ケーブル１の第一の樹脂層３と第二の樹脂層５とが密着する。
【００２１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２２】
１    ケーブル
２    線状部材
３    第一の樹脂層
４    空気層
５    第二の樹脂層
【図１】
2014235789.tif 000003
【図２】
2014235789.tif 000004